(57)【特許請求の範囲】
【請求項１】
ケーシング内に、ジャイロ機構からなる枢支手段によって常時鉛直位置に来るように垂下状態で揺動自在に枢支されるビーム投射器を備え、このビーム投射器からのビームをケーシングの投射窓から外部に投射するようにした墨出し装置において、前記枢支手段は、ビーム投射器の上端部を囲繞するリング部材と、ケーシング内に立設されて、リング部材の直径方向両側に位置する一対の支柱と、ビーム投射器の上端部及びこれを囲繞するリング部材を直径方向に貫通して両支柱に横架連結される横架軸とを有し、リング部材が横架軸に対しその軸線周りに回動可能に枢支されると共に、横架軸が貫通するビーム投射器の貫通孔は横架軸の直径よりも径大に形成され、ビーム投射器の上端部は、これを囲繞するリング部材に対し、このリング部材の直径方向に延び且つ前記横架軸に直交してリング部材に突設された一対のピンがビーム投射器の上端部の各軸受に軸支されることによって、前記横架軸の軸線と直交する軸線周りに回動可能に枢支されてなる墨出し装置。
【請求項２】
前記横架軸は、この横架軸の両端部に夫々同軸に設けたネジ軸部を各支柱に設けたネジ孔に螺合すると共に、ロックネジを支柱側からネジ軸部と直交する方向にねじ込んでネジ軸部に押し付けることよって、両支柱に横架連結される請求項１に記載の墨出し装置。
【発明の詳細な説明】
【０００１】
【発明の属する技術分野】
本発明は、建築作業現場などで使用される墨出し装置に関するもので、ビームによって天井、壁、床面などに墨出しを行う墨出し装置に関する。
【０００２】
【従来の技術】
この種の墨出し装置は、ケーシング内に、ジャイロ機構からなる枢支手段によって常時鉛直位置に来るように垂下状態で揺動自在に枢支されるビーム投射器を有し、このビーム投射器からのビームをケーシングの投射窓から外部に投射するようにしたものである。図４は、従来の墨出し装置を示す横断平面図であって、１はケーシング、２は枢支手段を示す。
【０００３】
枢支手段２は、ジャイロ機構からなるもので、ケーシング２１内に周方向に１２０度の間隔で立設された３本の支柱２２と、これら３本の支柱２２の上端部を一体的に連結するドーナツ状の支持枠２３と、このドーナツ状支持枠２３内に配置されて、ビーム投射器３の上端部を囲繞するリング部材２４とを備え、そしてリング部材２４を、ドーナツ状支持枠２３に対し、リング部材２４の直径方向に延びる軸線ａの周りにピン２５，２５によって回動可能に枢支すると共に、各ピン２５の一端側をリング部材２４に軸受２６で軸支し、またビーム投射器３の上端側を、リング部材２４に対し、このリング部材２４の直径方向に延び且つ前記軸線ａと直交する軸線ｂの周りにピン２７，２７によって回動可能に枢支すると共に、各ピン２７の一端側をビーム投射器３の上端側に軸受２８で軸支し、これによってビーム投射器３を全方向に揺動自在に吊持しつつ、ビーム投射器３をその自重によって常時鉛直位置に来るように保持している。
【０００４】
【発明が解決しようとする課題】
上記のように、従来の墨出し装置では、枢支手段２の支持架構部が、ケーシング２１内に周方向に一定間隔で立設された３本の支柱２２と、これら３本の支柱２２の上端部を連結するドーナツ状の支持枠２３とから構成されて、可成り大掛かりな構造となるため、装置が大型化し、重量が重くなると共に、製作コストが高くつく、と云う問題があった。
【０００５】
本発明は、装置を出来るだけ小型化且つ軽量化すると共に、製作コストを安くするようにした墨出し装置を提供することを目的とする。
【０００６】
【課題を解決するための手段】
請求項１に係る発明は、ケーシング１内に、ジャイロ機構からなる枢支手段２によって常時鉛直位置に来るように垂下状態で揺動自在に枢支されるビーム投射器３を備え、このビーム投射器３からのビーム１８をケーシング１の投射窓２０から外部に投射するようにした墨出し装置において、前記枢支手段２は、ビーム投射器３の上端部を囲繞するリング部材４と、ケーシング１内に立設されて、リング部材４の直径方向両側に位置する一対の支柱５，５と、ビーム投射器３の上端部及びこれを囲繞するリング部材４を直径方向に貫通して両支柱５，５に横架連結される横架軸６とを有し、リング部材４が横架軸６に対しその軸線ａ周りに回動可能に枢支されると共に、横架軸６が貫通するビーム投射器３の貫通孔９は横架軸６の直径よりも径大に形成され、ビーム投射器３の上端部は、これを囲繞するリング部材４に対し、このリング部材４の直径方向に延び且つ前記横架軸６に直交してリング部材４に突設された一対のピン１５，１５がビーム投射器３の上端部の各軸受１６，１６に軸支されることによって、前記横架軸６の軸線ａと直交する軸線ｂ周りに回動可能に枢支されてなることを特徴とする。
【０００７】
請求項２は、請求項１に記載の墨出し装置において、前記横架軸６は、この横架軸６の両端部に夫々同軸に設けたネジ軸部１１を各支柱５に設けたネジ孔１２に螺合すると共に、ロックネジ１３を支柱５側からネジ軸部１１と直交する方向にねじ込んでネジ軸部１１に押し付けることよって、両支柱５，５に横架連結されることを特徴とする。
【０００８】
【発明の実施の形態】
図１は本発明に係る墨出し装置を示す縦断面図、図２は図１に示す墨出し装置を９０度回転した状態での一部縦断面側面図、図３は図１のＸ−Ｘ線断面図である。この墨出し装置のケーシング１は、基台部１ｂと、この基台部１ｂに取り付けられた取付台座１ｃと、この取付台座１ｃ上に固定されたケーシング本体１ａとからなり、基台部１ｂには複数本の支持脚１ｄが取り付けてある。そして、ケーシング１内にはビーム投射器３が配備され、このビーム投射器３は、ジャイロ機構からなる枢支手段２によって常時鉛直位置に来るように垂下状態で揺動自在に枢支されている。
【０００９】
上記ビーム投射器３は周知構造のものであるため、詳細な図示は省略するが、投射器本体３ａの上端部内に設けてある光源用レザーダイオード１７から出射したレザービーム１８を、ビームライン発光レンズとしてのロッドレンズ１９で拡散状に屈折させて、投射窓２０から外部へ投射させるようになっている。また、図２及び図３に示すように、ケーシング１内にはビーム投射器３の側方に電池収納部３４が設けてあって、この収納部３４にビーム電源用の電池３５が収納されている。
【００１０】
上記ビーム投射器３を常時鉛直位置に来るように垂下状態に枢支するためのジャイロ機構からなる枢支手段２は、図１〜図３に示すように、ビーム投射器３の上端部を囲繞するリング部材４と、ケーシング１内に立設されて、リング部材４の直径方向両側に位置する一対の支柱５，５と、投射器本体３ａ上端部及びこれを囲繞する前記リング部材４を直径方向に貫通して両支柱５，５に横架連結される横架軸６とを有し、リング部材４を横架軸６に対しその軸線ａ周りに回動可能に枢支すると共に、投射器本体３ａの上端部をリング部材４に対し横架軸６の軸線ａと直交する軸線ｂ周りに回動可能に枢支することによって、ビーム投射器３を全方向に揺動自在に吊持しつつ、ビーム投射器３をその自重によって常時鉛直位置に来るように保持している。
【００１１】
上記ジャイロ機構からなる枢支手段２の構造について更に詳しく説明すれば、図１に示すように、ケーシング１の取付台座１ｃ上面には直径方向両側対称位置に取付孔７，７が設けられ、、各取付孔７に支柱５の下端径小軸部５ａが嵌合されて、取付台座１ｃの下面側からビス８がねじ込まれることによって、両支柱５，５が取付台座１ｃ上に垂直に立設固定される。
【００１２】
図１及び図３に示すように、横架軸６は、投射器本体３ａの上端部にその直径方向に貫設された軸貫通孔９と、リング部材４にその直径方向に貫設された軸貫通孔１０，１０とを貫通して、両支柱５，５の上端部に横架連結されているが、この横架軸６の両端部には夫々ネジ軸部１１が横架軸６と同軸に設けられていて、これら両ネジ軸部１１，１１を、両支柱５，５の上端部に設けてあるネジ孔１２，１２に螺合すると共に、各支柱５の上端面側からネジ軸部１１と直交する方向にロックネジ１３をねじ込んで、ネジ軸部１１の環状溝部１１ａに係合して押し付けることよって、横架軸６が両支柱５，５に横架連結されると共に、横架軸６と両支柱５，５とが剛体結合される。
【００１３】
投射器本体３ａに貫設される軸貫通孔９及びリング部材４に貫設される軸貫通孔１０は夫々横架軸６の直径よりも径大に形成されている。そして、リング部材４は、その軸貫通孔１０とこの貫通孔１０を貫通する横架軸６との間に介装された軸受１４によって、横架軸６の軸線ａ周りに回動自在に支持され、また投射器本体３ａの上端部は、これを囲繞するリング部材４に対し、このリング部材４の直径方向に延び且つ前記横架軸６の軸線ａと直交する軸線ｂの周りにピン１５によって枢支されると共に、各ピン１５の一端側が投射器本体３ａの上端部に軸受１６によって軸支され、これによってビーム投射器３は全方向に揺動自在に吊持されると共に、その自重によって常時鉛直位置に来るように保持されるようになっている。
【００１４】
また、ビーム投射器３の下端面とケーシング１の取付台座１ｃとの間には磁気制動手段２９が設けられている。この磁気制動手段２９は、投射器本体３ａの下端部に連設された導電性の錘部３０と、取付台座１ｃの中央凹陥部３１の底部に周方向一定間隔おきに配設された複数個のマグネット片３２とからなるもので、取付台座１ｃ側のマグネット片３２に対するビーム投射器３側の導電性錘部３０の移動により、それらの内部に生ずる渦電流により発生する制動力を利用して、ビーム投射器３をバランス良く可及的速やかに静止させるようになっいる。
【００１５】
尚、投射器本体３ａ下端部の導電性錘部３０にはその外周面にＯリング３３が取り付けてあって、ビーム投射器３の揺動時にその下端部が取付台座１ｃの中央凹陥部３１内周面に衝当するときの衝撃を緩和するようにしている。
【００１６】
上記のような構成よりなる墨出し装置の使用においては、この墨出し装置を、墨出しを行う室内の床面上の所要位置に置くと、枢支手段２によって枢支されているビーム投射器３が揺動しながら減衰して静止状態となるから、この状態で電源スイッチ（図示省略）を入れ、ケーシング１の投射窓２９からのビーム１８の投射を開始し、墨出しを行う。この際、磁気制動手段２９の制動作用によって、ビーム投射器３をバランス良く可及的速やかに静止させることができる。
【００１７】
以上説明したように、本発明に係る墨出し装置は、ジャイロ機構からなる枢支手段２が、ビーム投射器３の上端部を囲繞するリング部材４と、このリング部材４の直径方向両側に位置する一対の支柱５，５と、投射器本体３ａ上端部及リング部材４を直径方向に貫通し両支柱５，５に横架連結される横架軸６とを有し、リング部材４を横架軸６周りに回動可能に枢支すると共に、投射器本体３ａの上端部を横架軸６の軸線ａと直交する軸線ｂ周りに回動可能に枢支することによって、ビーム投射器３を揺動自在に吊持しつつ、その自重によって常時鉛直位置に来るようにビーム投射器３を保持する構造であって、本発明の実施形態を示す図３と従来例を示す図４とを比較すれば分かるように、本発明の枢支手段２の横架軸６が、従来の枢支手段のドーナツ状支持枠２３及び軸線ａに沿って配設されるピン２５，２５の役割を果し、また従来の枢支手段のドーナツ状支持枠２３が３本の支柱２２で支持されるのに対し、本発明の枢支手段２の横架軸６は２本の支柱５，５によって支持されるから、本発明の枢支手段２は従来の枢支手段よりも部品点数が少なく、コンパクトとなって、小型化及び軽量化を図ることができると共に、製作コストを安くすることができる。
【００１８】
また、本発明に係る枢支手段２では、横架軸６の両端部に夫々ネジ軸部１１が横架軸６と同軸に設けられていて、これら両ネジ軸部１１，１１を、両支柱５，５の上端部に設けてあるネジ孔１２，１２に螺合すると共に、各支柱５の上端面側からネジ軸部１１と直交する方向にロックネジ１３をねじ込んで、このネジ軸部１１に押し付けることによって、横架軸６が両支柱５，５に横架連結されるから、横架軸６と両支柱５，５とが剛体結合されて、横架軸６には十分な剛性が確保され、それによってジャイロ機構の精度の向上が図られる。
【００１９】
【発明の効果】
請求項１に係る発明の墨出し装置によれば、ジャイロ機構からなる枢支手段が、ビーム投射器の上端部を囲繞するリング部材と、ケーシング内に立設されて、リング部材の直径方向両側に位置する一対の支柱と、ビーム投射器の上端部及びリング部材を直径方向に貫通して両支柱に横架連結される横架軸とを有し、リング部材を横架軸に対しその軸線周りに回動可能に枢支すると共に、ビーム投射器の上端部をリング部材に対し横架軸の軸線と直交する軸線周りに回動可能に枢支してなる構造であるから、従来の枢支手段に比べ、部品点数が少なく、装置の小型化及び軽量化を図ることができると共に、その製作コストを安くできる。
【００２０】
請求項２に係る発明の墨出し装置によれば、横架軸は、この横架軸の端部に同軸一体又は一体的に設けたネジ軸部を各支柱に設けたネジ孔に螺合すると共に、ロックネジを支柱側からネジ軸部と直交する方向にねじ込んでネジ軸部に押し付けることよって、両支柱に横架連結されるから、横架軸と両支柱とが剛体結合されて、少ない部品点数で横架軸に十分な剛性が確保され、ジャイロ機構の精度の向上が図られる。
【図面の簡単な説明】
【図１】  本発明に係る墨出し装置を示す縦断面図である。
【図２】  図１に示す墨出し装置を９０度回転した状態での一部縦断面側面図である。
【図３】  図１のＸ−Ｘ線断面図である。
【図４】  従来の墨出し装置を示す横断面図である。
【符号の説明】
１          ケーシング
２          ジャイロ機構からなる枢支手段
３          ビーム投射器
４          リング部材
５          支柱
６          横架軸
１１        ネジ軸部
１２        ネジ孔
１３        ロックネジ
ａ          横架軸の軸線
ｂ          横架軸の軸線と直交する軸線
【図１】
0003749869.tif 000002
【図２】
0003749869.tif 000003
【図３】
0003749869.tif 000004
【図４】
0003749869.tif 000005